(57)【特許請求の範囲】
【請求項１】
外槽側壁を形成する外槽側壁形成工程と、前記外槽側壁内で内槽屋根及び外槽屋根を重ねて一体化して形成する屋根形成工程と、前記内槽屋根及び前記外槽屋根を上昇させて前記外槽側壁に固定する屋根上昇工程と、前記屋根上昇工程で上昇された前記内槽屋根に接続して内槽側壁を形成する内槽側壁形成工程とを有する二重殻タンクの建設方法であって、
前記屋根形成工程は、
前記外槽屋根よりも先に形成された前記内槽屋根の一部領域である内槽屋根第１領域の検査を行う内槽屋根第１領域検査工程と、
当該内槽屋根第１領域検査工程が完了した前記内槽屋根第１領域に重なる前記外槽屋根の領域である外槽屋根第１領域を形成する外槽屋根第１領域形成工程と、
当該外槽屋根第１領域形成工程と同時に行われると共に、前記内槽屋根第１領域検査工程にて検査が完了していない前記内槽屋根の残存領域である内槽屋根第２領域の検査を行う内槽屋根第２領域検査工程と、
当該内槽屋根第２領域検査工程が完了した前記内槽屋根第２領域に重なる前記外槽屋根の領域である外槽屋根第２領域を形成する外槽屋根第２領域形成工程と
を有することを特徴とする二重殻タンクの建設方法。
【請求項２】
前記内槽屋根第１領域が前記内槽屋根の中央領域であり、前記内槽屋根第２領域が前記内槽屋根の外周領域であることを特徴とする請求項１記載の二重殻タンクの建設方法。
【請求項３】
前記屋根形成工程にて、前記内槽屋根の全領域を形成してから前記内槽屋根第１領域検査工程を行うことを特徴とする請求項１または２記載の二重殻タンクの建設方法。
【請求項４】
前記屋根形成工程にて、前記内槽屋根第１領域検査工程及び前記外槽屋根第１領域形成工程との少なくともいずれかと同時に前記内槽屋根第２領域を形成することを特徴とする請求項１または２記載の二重殻タンクの建設方法。
【発明の詳細な説明】
【技術分野】
【０００１】
本発明は、二重殻タンクの建設方法に関するものである。
【背景技術】
【０００２】
ＬＮＧ（Liquefied Natural Gas）やＬＰＧ（Liquefied Petroleum Gas）等の液化ガスを低温にて貯蔵するタンクとして、特許文献１に示すように、液化ガスを貯留する内槽と当該内槽を囲う外槽とを有する二重殻タンクが用いられている。
【０００３】
例えば、特許文献１に開示された二重殻タンクは、内槽屋根と外槽屋根とが鉄鋼（金属）によって形成されており、いわゆるエアレイジング工法によって建設されている。
より詳細には、外槽側壁を形成し、外槽側壁内で内槽屋根及び外槽屋根を重ねて一体化して形成する。その後、エアレイジングによって屋根を上昇させてから外槽屋根を外槽側壁に固定し、さらに内槽屋根に接続される内槽側壁を形成することで二重殻タンクの建設を行っている。
【先行技術文献】
【特許文献】
【０００４】
【特許文献１】特開平４−３２７１００号公報
【発明の概要】
【発明が解決しようとする課題】
【０００５】
ところで、内槽屋根や外槽屋根は、複数の鉄鋼材料を溶接することによって形成されている。このため、通常は、内槽屋根及び外槽屋根に対しては、エアレイジングにて浮上させるよりも先に、浸透探傷検査（ＰＴ検査）やＸ線検査透過検査（ＲＴ検査）等の検査が行われる。
【０００６】
しかしながら、内槽屋根と外槽屋根とは１ｍ程度しか離間されておらず、また内槽屋根と外槽屋根との隙間は非常に暗い。現在であっても上述の検査を行うことは可能であるが、より効率的に内槽屋根の検査作業を行うためには、明るくかつ広い環境で検査を行うことが望ましい。
【０００７】
このような問題を解消するためには、例えば、内槽屋根を形成した後、内槽屋根の検査を行った後に外槽屋根の形成に取り掛かることが考えられる。
しかしながら、このような場合には、内槽屋根の検査が完了するまで外槽の形成を待つ必要があり、工期が長期化する原因となる。
【０００８】
本発明は、上述する問題点に鑑みてなされたもので、二重殻タンクの建設方法において、工期の長期化を抑制しつつ、屋根の検査作業を効率化することを目的とする。
【課題を解決するための手段】
【０００９】
本発明は、上記課題を解決するための手段として、以下の構成を採用する。
【００１０】
第１の発明は、外槽側壁を形成する外槽側壁形成工程と、上記外槽側壁内で内槽屋根及び外槽屋根を重ねて一体化して形成する屋根形成工程と、上記内槽屋根及び上記外槽屋根を上昇させて上記外槽側壁に固定する屋根上昇工程と、上記屋根上昇工程で上昇された上記内槽屋根に接続して内槽側壁を形成する内槽側壁形成工程とを有する二重殻タンクの建設方法であって、上記屋根形成工程が、上記外槽屋根よりも先に形成された上記内槽屋根の一部領域である内槽屋根第１領域の検査を行う内槽屋根第１領域検査工程と、当該内槽屋根第１領域検査工程が完了した上記内槽屋根第１領域に重なる上記外槽屋根の領域である外槽屋根第１領域を形成する外槽屋根第１領域形成工程と、当該外槽屋根第１領域形成工程と同時に行われると共に、上記内槽屋根第１領域検査工程にて検査が完了していない上記内槽屋根の残存領域である内槽屋根第２領域の検査を行う内槽屋根第２領域検査工程と、当該内槽屋根第２領域検査工程が完了した上記内槽屋根第２領域に重なる上記外槽屋根の領域である外槽屋根第２領域を形成する外槽屋根第２領域形成工程とを有するという構成を採用する。
【００１１】
第２の発明は、上記第１の発明において、上記内槽屋根第１領域が上記内槽屋根の中央領域であり、上記内槽屋根第２領域が上記内槽屋根の外周領域であるという構成を採用する。
【００１２】
第３の発明は、上記第１または第２の発明において、上記屋根形成工程にて、上記内槽屋根の全領域を形成してから上記内槽屋根第１領域検査工程を行うという構成を採用する。
【００１３】
第４の発明は、上記第１または第２の発明において、上記屋根形成工程にて、上記内槽屋根第１領域検査工程及び上記外槽屋根第１領域形成工程との少なくともいずれかと同時に上記内槽屋根第２領域を形成するという構成を採用する。
【発明の効果】
【００１４】
以上のような本発明においては、内槽屋根の検査は、内槽屋根第１領域検査工程と内槽屋根第２領域検査工程の２つの工程に分かれて行われる。そして、内槽屋根第１領域検査工程は、内槽屋根第１領域に被さる外槽屋根第１領域が形成される前（すなわち外槽屋根第１領域形成工程よりも前）に行われる。また、内槽屋根第２領域検査工程は、内槽屋根第２領域に被さる外槽屋根第２領域が形成される前（すなわち外槽屋根第２領域形成工程よりも前）に行われる。
つまり、本発明においては、内槽屋根第１領域を検査する際にはその上に被さる外槽屋根第１領域が形成されておらず、内槽屋根第２領域を検査する際にはその上に被さる外槽屋根第２領域が形成されていない。
このため、本発明によれば、内槽屋根の検査を明るくかつ広い環境で行うことができ、検査の作業効率を向上させることができる。
【００１５】
また、本発明においては、内槽屋根第１領域検査工程が完了とすると、外槽屋根第１領域形成工程と内槽屋根第２領域検査工程とが同時に行われる。
つまり、本発明においては、内槽屋根の検査が全領域で完了するのを待つことなく、内槽屋根第２領域にて検査を行っている際に内槽屋根第１領域に被さる領域で外槽屋根を形成する。
このため、工期が長期化することを抑制することができる。
【００１６】
したがって、本発明によれば、二重殻タンクの建設方法において、工期の長期化を抑制しつつ、屋根の検査作業を効率化することが可能となる。
【図面の簡単な説明】
【００１７】
【図１】本発明の一実施形態における二重殻タンクの建設方法によって建設される二重殻タンクの概略構成を示す断面図である。
【図２】本発明の一実施形態における二重殻タンクの建設方法を説明するためのフローチャートである。
【図３】本発明の一実施形態における二重殻タンクの建設方法を模式的に示す工程図である。
【図４】本発明の一実施形態における二重殻タンクの建設方法を模式的に示す工程図である。
【発明を実施するための形態】
【００１８】
以下、図面を参照して、本発明に係る二重殻タンクの建設方法の一実施形態について説明する。なお、以下の図面において、各部材を認識可能な大きさとするために、各部材の縮尺を適宜変更している。
【００１９】
図１は、本実施形態の二重殻タンクの建設方法によって建設される二重殻タンク１の概略構成を模式的に示す断面図である。
二重殻タンク１は、ＬＮＧ（Liquefied Natural Gas）やＬＰＧ（Liquefied Petroleum Gas）等の液化ガスＸを低温にて貯蔵するタンクであり、内槽２と、外槽３と、連結部材４と、断熱材５とを備えている。
【００２０】
内槽２は、液化ガスＸを貯留する金属性の容器であり、円板状の内槽床部２ａと、円筒状の内槽側壁２ｂと、椀状の内槽屋根２ｃとを備えている。
そして、内槽２は、内槽床部２ａの縁部に内槽側壁２ｂが立設され、当該内槽側壁２ｂの上部に内槽屋根２ｃが配置されることによって容器形状に形状設定されている。
【００２１】
外槽３は、内槽２を囲う容器であり、円板状の外槽床部３ａと、円筒状の外槽側壁３ｂと、椀状の外槽屋根３ｃとを備えている。
そして、本実施形態において外槽床部３ａ及び外槽側壁３ｂとはプレキャストコンクリートによって形成され、外槽屋根３ｃは金属によって形成されている。
そして、外槽３は、外槽床部３ａの縁部に外槽側壁３ｂが立設され、当該外槽側壁３ｂの上部に外槽屋根３ｃが配置されることによって容器形状に形状設定されている。
【００２２】
連結部材４は、内槽屋根２ｃと外槽屋根３ｃとを上下に連結するものであり、内槽屋根２ｃと外槽屋根３ｃとの間に複数設けられている。
なお、連結部材４は、内槽屋根２ｃが当該連結部材４のみで支えられている状態であっても、内槽屋根２ｃの落下を防止できる強度にて内槽屋根２ｃと外槽屋根３ｃとを連結している。
また、連結部材４は、二重殻タンク１を建設する際に用いられる仮設部材である。このため、内槽屋根２ｃが内槽側壁２ｂと接続された後に、切断されて撤去される。
【００２３】
断熱材５は、外部から液化ガスＸへの入熱を抑止するためのものであり、図１に示すように、内槽２と外槽３との間の隙間を埋めるように配置されている。
なお、より詳細には、断熱材５は、内槽側壁２ｂと外槽側壁３ｂとの間の隙間に充填されて配置されている。また、断熱材５は、内槽床部２ａと外槽床部３ａとの間にも充填配置されている。
【００２４】
次に、上述のような二重殻タンクを建設するための、本実施形態の二重殻タンクの建設方法について、図２〜図４を参照して説明する。
なお、図２は本実施形態の二重殻タンクの建設方法を説明するためのフローチャートであり、図３及び図４は本実施形態の二重殻タンクの建設方法を模式的に示す工程図である。
【００２５】
本実施形態の二重殻タンクの建設方法は、図２（ａ）に示すように、外槽側壁形成工程（ステップＳ１）、屋根形成工程（ステップＳ２）、屋根上昇工程（ステップＳ３）、内槽側壁形成工程（ステップＳ４）及び仕上工程（ステップＳ５）を有しており、これらの工程が順に行われることによって進められる。
【００２６】
本実施形態の二重殻タンクの建設方法では、まず外槽側壁形成工程（ステップＳ１）を行う。外槽側壁形成工程（ステップＳ１）は、外槽側壁３ｂを形成する工程である。
この外槽側壁形成工程（ステップＳ１）では、図３（ａ）に示すように、プレキャストコンクリートによって外槽側壁３ｂを形成し、また外槽側壁３ｂと同時に外槽床部３ａを形成する。
【００２７】
続いて、屋根形成工程（ステップＳ２）を行う。屋根形成工程（ステップＳ２）は、外槽側壁３ｂ内（外槽床部３ａ上）にて内槽屋根２ｃと外槽屋根３ｃとを重ねて一体化して形成する工程である。
ここで、図２（ｂ）を参照して屋根形成工程（ステップＳ２）について詳細に説明する。
本実施形態の二重殻タンクの建設方法において本屋根形成工程（ステップＳ２）は、図２（ｂ）に示すように、内槽屋根形成工程（ステップＳ２１）、内槽屋根中央領域検査工程（ステップＳ２２）、外槽屋根中央領域形成工程（ステップＳ２３）、外槽屋根中央領域検査工程（ステップＳ２４）、内槽屋根外周領域検査工程（ステップＳ２５）、外槽屋根外周領域形成工程（ステップＳ２６）及び外槽屋根外周領域検査工程（ステップＳ２７）を有している。
【００２８】
内槽屋根形成工程（ステップＳ２１）は、内槽屋根２ｃを形成する工程である。
この内槽屋根形成工程（ステップＳ２１）では、複数の鋼材を溶接等によって接合することによって、図３（ａ）に示すように、外槽床部３ａ上に内槽屋根２ｃを形成する。
【００２９】
続いて、内槽屋根中央領域検査工程（ステップＳ２２）を行う。内槽屋根中央領域検査工程（ステップＳ２２）は、本発明における内槽屋根第１領域検査工程に相当し、上記内槽屋根形成工程（ステップＳ２１）にて外槽屋根３ｃよりも先に形成された内槽屋根２ｃの一部領域である中央領域２ｃ１（内槽屋根第１領域）の検査を行う工程である。
この内槽屋根中央領域検査工程（ステップＳ２２）では、図３（ｃ）に示すように、外槽床部３ａ上に形成された内槽屋根２ｃのうち、外周領域２ｃ２に囲まれた中央領域２ｃ１の検査を行う。
なお、具体的には、本内槽屋根中央領域検査工程（ステップＳ２２）では、例えば、浸透探傷検査（ＰＴ検査）やＸ線検査透過検査（ＲＴ検査）が行われる。
【００３０】
続いて、本実施形態の二重殻タンクの建設方法においては、外槽屋根中央領域形成工程（ステップＳ２３）と、内槽屋根外周領域検査工程（ステップＳ２５）とを並行して行う。
【００３１】
外槽屋根中央領域形成工程（ステップＳ２３）は、本発明における外槽屋根第１領域形成工程に相当し、内槽屋根中央領域検査工程（ステップＳ２２）が完了した内槽屋根２ｃの中央領域２ｃ１に重なる外槽屋根３ｃの中央領域（外槽屋根第１領域）を形成する工程である。
【００３２】
内槽屋根外周領域検査工程（ステップＳ２５）は、本発明における内槽屋根第２領域検査工に相当し、外槽屋根中央領域形成工程（ステップＳ２３）と同時に行われると共に、内槽屋根中央領域検査工程（ステップＳ２２）にて検査が完了していない内槽屋根２ｃの残存領域である外周領域２ｃ２（内槽屋根第２領域）の検査を行う工程である。
【００３３】
これらの外槽屋根中央領域形成工程（ステップＳ２３）と、内槽屋根外周領域検査工程（ステップＳ２５）とが並行して行われることによって、図３（ｄ）に示すように、内槽屋根２ｃの中央領域２ｃ１の上方に連結部材４を介して外槽屋根３ｃの中央領域３ｃ１が形成されると共に、内槽屋根２ｃの外周領域２ｃ２の検査が行われる。
なお、内槽屋根２ｃの外周領域２ｃ２に対しても、内槽屋根２ｃの中央領域２ｃ１と同様に、例えば、浸透探傷検査（ＰＴ検査）やＸ線検査透過検査（ＲＴ検査）が行われる。
【００３４】
続いて、本実施形態の二重殻タンクの建設方法においては、外槽屋根中央領域検査工程（ステップＳ２４）と、外槽屋根外周領域形成工程（ステップＳ２６）とを並行して行う。
【００３５】
外槽屋根中央領域検査工程（ステップＳ２４）は、外槽屋根３ｃの中央領域３ｃ１（外槽屋根第１領域）の検査を行う工程である。
【００３６】
外槽屋根外周領域形成工程（ステップＳ２６）は、本発明における外槽屋根第２領域形成工程に相当し、内槽屋根外周領域検査工程（ステップＳ２５）が完了した内槽屋根２ｃの外周領域２ｃ２に重なる外槽屋根３ｃの外周領域３ｃ２（外槽屋根第２領域）を形成する工程である。
【００３７】
これらの外槽屋根中央領域検査工程（ステップＳ２４）と、外槽屋根外周領域形成工程（ステップＳ２６）とが並行して行われることによって、図４（ａ）に示すように、内槽屋根２ｃの外周領域２ｃ２の上方に連結部材４を介して外槽屋根３ｃの外周領域３ｃ２が形成されると共に、外周屋根３ｃの中央領域３ｃ１の検査が行われる。
【００３８】
ただし、これらの外槽屋根中央領域検査工程（ステップＳ２４）と、外槽屋根外周領域形成工程（ステップＳ２６）とは、必ずしも並行に行われる必要はない。
例えば、外槽屋根中央領域検査工程（ステップＳ２４）は、外槽屋根中央領域形成工程（ステップＳ２３）が完了すれば行うことが可能となる。このため、外槽屋根中央領域形成工程（ステップＳ２３）が完了した際に未だ内槽屋根外周領域検査工程（ステップＳ２５）が行われている場合には、当該内槽屋根外周領域検査工程（ステップＳ２５）と並行して行うこともできる。
【００３９】
続いて、外槽屋根外周領域検査工程（ステップＳ２７）を行う。この外槽屋根外周領域検査工程（ステップＳ２７）は、外槽屋根３ｃの外周領域３ｃ２（外槽屋根第２領域）の検査を行う工程である。
この外槽屋根外周領域検査工程（ステップＳ２７）では、図４（ｂ）に示すように、外槽屋根３ｃのうち、外周領域３ｃ２の検査を行う。
なお、外槽屋根３ｃの外周領域３ｃ２に対しても、外槽屋根３ｃの中央領域３ｃ１、内槽屋根２ｃの外周領域２ｃ２及び内槽屋根２ｃの中央領域２ｃ１と同様に、例えば、浸透探傷検査（ＰＴ検査）やＸ線検査透過検査（ＲＴ検査）が行われる。
【００４０】
本実施形態の二重殻タンクの建設方法では、このような屋根形成工程（ステップＳ２）が完了すると、図２（ａ）に示すように、屋根上昇工程（ステップＳ３）を行う。
屋根上昇工程（ステップＳ３）は、上述の屋根形成工程（ステップＳ２）で形成された内槽屋根２ｃ及び外槽屋根３ｃを上昇させて外槽側壁３ｂに固定する工程である。
具体的には、図４（ｃ）に示すように、内槽屋根２ｃ及び外槽屋根３ｃの下方に加圧空気を供給することによって内槽屋根２ｃ及び外槽屋根３ｃを浮かすエアレイジングを用いて内槽屋根２ｃ及び外槽屋根３ｃを上昇させる。そして、外槽屋根３ｃを外槽側壁３ｂの上部に固定する。
【００４１】
続いて、本実施形態の二重殻タンクの建設方法では、内槽側壁形成工程（ステップＳ４）を行う。内槽側壁形成工程（ステップＳ４）は、屋根上昇工程（ステップＳ３）で上昇された内槽屋根２ｃに接続して内槽側壁２ｂを形成する工程である。
この内槽側壁形成工程（ステップＳ４）では、図４（ｄ）に示すように、鋼材（いわゆる側板）を組み上げることによって内槽側壁２ｂを形成し、また内槽側壁２ｂと同時に内槽床部２ａを形成する。
【００４２】
続いて、本実施形態の二重殻タンクの建設方法では、仕上工程（ステップＳ５）を行う。この仕上工程（ステップＳ５）では、二重殻タンク１を最終的な形状に仕上る工程であり、例えば、断熱材５の配置等が行われる。
【００４３】
そして、以上のような本実施形態の二重殻タンクの建設方法によれば、内槽屋根２ｃの検査は、内槽屋根中央領域検査工程（ステップＳ２２）と内槽屋根外周領域検査工程（ステップＳ２５）の２つの工程に分かれて行われる。そして、内槽屋根中央領域検査工程（ステップＳ２２）は、内槽屋根２ｃの中央領域２ｃ１に被さる外槽屋根３ｃの中央領域３ｃ１が形成される前（すなわち外槽屋根中央領域形成工程（ステップＳ２３）よりも前）に行われる。
また、内槽屋根外周領域検査工程（ステップＳ２５）は、内槽屋根２ｃの外周領域２ｃ２に被さる外槽屋根３ｃの外周領域３ｃ２が形成される前（すなわち外槽屋根外周領域形成工程（ステップＳ２６）よりも前）に行われる。
つまり、本実施形態の二重殻タンクの建設方法においては、内槽屋根２ｃの中央領域２ｃ１を検査する際にはその上に被さる外槽屋根３ｃの中央領域３ｃ１が形成されておらず、内槽屋根２ｃの外周領域２ｃ２を検査する際にはその上に被さる外槽屋根３ｃの外周領域３ｃ２が形成されていない。
このため、本実施形態の二重殻タンクの建設方法によれば、内槽屋根２ｃの検査を明るくかつ広い環境で行うことができ、検査の作業効率を向上させることができる。
【００４４】
また、本実施形態の二重殻タンクの建設方法においては内槽屋根中央領域検査工程（ステップＳ２２）が完了とすると、外槽屋根中央領域形成工程（ステップＳ２３）と内槽屋根外周領域検査工程（ステップＳ２５）とが同時に行われる。
つまり、本実施形態の二重殻タンクの建設方法においては、内槽屋根２ｃの検査が全領域で完了するのを待つことなく、内槽屋根２ｃの外周領域２ｃ２にて検査を行っている際に内槽屋根２ｃの中央領域２ｃ１に被さる領域で外槽屋根３ｃを形成する。
このため、工期が長期化することを抑制することができる。
したがって、本実施形態の二重殻タンクの建設方法によれば、工期の長期化を抑制しつつ、屋根の検査作業を効率化することが可能となる。
【００４５】
また、本実施形態の二重殻タンクの建設方法においては、本発明の内槽屋根第１領域が内槽屋根２ｃの中央領域２ｃ１であり、内槽屋根第２領域が内槽屋根２ｃの外周領域２ｃ２であるという構成を採用している。
このため、内槽屋根２ｃの外周領域２ｃ２よりも先に内槽屋根２ｃの中央領域２ｃ１に対する検査が行われる。通常、外周領域２ｃ２は中央領域２ｃ１より複雑に鋼材が溶接されていることから、検査に時間がかかる。このため、先に内槽屋根２ｃの中央領域２ｃ１に対する検査を行うことによって、より短時間で外槽屋根３ｃの形成を始めることが可能となる。
【００４６】
また、本実施形態の二重殻タンクの建設方法においては、内槽屋根２ｃの全領域を形成した後、内槽屋根２ｃの検査を開始する構成を採用している。
このため、内槽屋根２ｃを分割して形成しないことから、一度に内槽屋根２ｃを形成することができ、内槽屋根２ｃの形成作業が効率化される。
【００４７】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００４８】
例えば、上記実施形態においては、内槽屋根２ｃの外周領域２ｃ２よりも先に内槽屋根２ｃの中央領域２ｃ１に対する検査を行い、外槽屋根３ｃの外周領域３ｃ２よりも先に外槽屋根３ｃの中央領域３ｃ１を形成する構成を採用した。
しかしながら、本発明はこれに限定されるものではなく、内槽屋根２ｃの中央領域２ｃ１よりも先に内槽屋根２ｃの外周領域２ｃ２に対する検査を行い、外槽屋根３ｃの中央領域３ｃ１よりも先に外槽屋根３ｃの外周領域３ｃ２を形成する構成を採用することもできる。
この場合には、本発明の内槽屋根第１領域が内槽屋根２ｃの外周領域２ｃ２となり、内槽屋根第２領域が内槽屋根２ｃの中央領域２ｃ１となる。
【００４９】
また、上記実施形態においては、内槽屋根２ｃの全領域を形成した後、内槽屋根２ｃの検査を開始する構成を採用した。
しかしながら、本発明はこれに限定されるものではなく、内槽屋根第１領域を形成した後、内槽屋根第２領域を形成するより前に内槽屋根第１領域の検査を開始するようにしても良い。
これによって、工期をより短縮することが可能となる。
【符号の説明】
【００５０】
１……二重殻タンク、２……内槽、２ａ……内槽床部、２ｂ……内槽側壁、２ｃ……内槽屋根、３……外槽、３ａ……外槽床部、３ｂ……外槽側壁、３ｃ……外槽屋根、４……連結部材、５……断熱材、Ｘ……液化ガス
【図１】
0005691805.tif 000002
【図２】
0005691805.tif 000003
【図３】
0005691805.tif 000004
【図４】
0005691805.tif 000005